(57)【要約】【課題】  携帯端末の充電状態の変化を取得し、携帯端末との無線通信の操作をすることで、使い勝手や操作性を良くすること。【解決手段】  本体ケース４と、この本体ケース４内に設けた制御部１１と、この制御部１１に携帯端末１０との無線通信を制御する無線通信部１２、および携帯端末１０を充電する非接触充電部６が接続される構成の電子機器１において、制御部１１は、非接触充電部６から携帯端末１０の充電状態の変化を取得すれば、充電状態の変化を取得した携帯端末１０と無線通信部１２に無線通信に関する指示を行う構成とした。【選択図】図３
2012165089.tif 000002
【特許請求の範囲】
【請求項１】
本体ケースと、この本体ケース内に設けた制御部と、この制御部に携帯端末との無線通信を制御する無線通信部、および携帯端末を充電する非接触充電部が接続される構成の電子機器において、
前記制御部は、前記非接触充電部から携帯端末の充電状態の変化を取得すれば、充電状態の変化を取得した携帯端末と前記無線通信部に無線通信に関する指示を行う構成とした電子機器。
【請求項２】
前記制御部は、前記無線通信部および充電状態の変化を取得した携帯端末へ、無線通信接続の指示をするものであり、前記制御部は、充電状態の変化を取得した携帯端末へ前記非接触充電部を介して無線通信接続の指示をする構成とした請求項１に記載の電子機器。
【請求項３】
前記制御部は、無線通信接続の指示に認証キーを含む構成とした請求項２に記載の電子機器。
【請求項４】
前記制御部は、オーディオデータを保持する記憶部が接続され、このオーディオデータをオーディオ部へ出力するものであり、
前記制御部は、オーディオデータの前記オーディオ部への出力状態により、充電状態の変化を取得した携帯端末と前記無線通信部に指示する内容を決定する構成とした請求項１から３に記載の電子機器。
【請求項５】
前記オーディオデータは、楽曲データであり、
前記制御部は、このオーディオデータを前記オーディオ部へ出力していれば、充電状態の変化を取得した携帯端末の保持するオーディオデータを前記オーディオ部へ出力する構成とした請求項４に記載の電子機器。
【請求項６】
前記制御部は、充電状態の変化を取得した携帯端末とは別の携帯端末との無線通信接続の状態を前記無線通信部より取得し、この無線通信接続の状態により、充電状態の変化を取得した携帯端末と前記無線通信部に指示する内容を決定する構成とした請求項１から３に記載の電子機器。
【請求項７】
前記制御部にオーディオデータをスピーカへ出力するオーディオ部が接続され、
前記制御部は、充電状態の変化を取得した携帯端末とは別の携帯端末が保持するオーディオデータを前記オーディオ部へ出力していることを前記無線通信部から取得すれば、前記無線通信部が充電状態の変化を取得した携帯端末の保持するオーディオデータを前記オーディオ部へ出力する構成とした請求項６に記載の電子機器。
【請求項８】
前記制御部にオーディオデータをスピーカへ出力するオーディオ部、およびマイクを含む操作部が接続され、このオーディオ部および操作部を使いハンズフリー機能を実現するものであり、
前記制御部は、充電状態の変化を取得した携帯端末とは別の携帯端末とハンズフリー機能を実行していれば、充電状態の変化を取得した携帯端末とは別の携帯端末とハンズフリー機能を継続する構成とした請求項６に記載の電子機器。
【請求項９】
前記制御部にオーディオデータをスピーカへ出力するオーディオ部、およびマイクを含む操作部が接続され、このオーディオ部および操作部を使いハンズフリー機能を実現するものであり、
前記制御部は、前記非接触充電部から携帯端末の充電解除の通知を取得し、その充電解除の通知を取得した携帯端末と前記無線通信部がハンズフリー機能を実行していれば、充
電解除の通知を取得した携帯端末とハンズフリー機能を継続する構成とした請求項１から３に記載の電子機器。
【発明の詳細な説明】
【技術分野】
【０００１】
本発明は、非接触充電機能を備えた携帯端末と無線通信する電子機器に関するものである。
【背景技術】
【０００２】
従来のこの種電子機器の構成は以下のような構成となっていた。
【０００３】
すなわち、本体ケースと、この本体ケース内に設けた制御部と、この制御部に携帯端末との無線通信を制御する無線通信部、および携帯端末を充電する非接触充電部が接続される構成の電子機器において、制御部は、携帯端末の給電に用いる電源信号に通信データを重畳し、非接触充電部を介して通信データを送受信する構成となっていた（例えば、特許文献１参照）。
【先行技術文献】
【特許文献】
【０００４】
【特許文献１】特開２００８−１１８５７５号公報
【発明の概要】
【発明が解決しようとする課題】
【０００５】
しかしながら、上記従来の構成では、非接触充電部による携帯端末の充電制御と無線通信部による携帯端末との無線通信の制御が別々になされており、使い勝手が良くなかった。
【０００６】
例えば、携帯端末との無線通信の接続確立には、認証キーを必要とする場合があるが、従来の構成では、ユーザが接続する携帯端末を選択し、さらに認証キーを入力する操作が必要であり、使い勝手が良くないとの問題があった。
【０００７】
本発明は、上記問題を解決するためになされたもので、使い勝手や操作性を良くすることを目的とする。
【課題を解決するための手段】
【０００８】
上記目的を達成するために、本発明は、本体ケースと、この本体ケース内に設けた制御部と、この制御部に携帯端末との無線通信を制御する無線通信部、および携帯端末を充電する非接触充電部が接続される構成の電子機器において、制御部は、非接触充電部から携帯端末の充電状態の変化を取得すれば、充電状態の変化を取得した携帯端末と無線通信部に無線通信に関する指示を行う構成とした電子機器。
【発明の効果】
【０００９】
本発明によれば、本体ケースと、この本体ケース内に設けた制御部と、この制御部に携帯端末との無線通信を制御する無線通信部、および携帯端末を充電する非接触充電部が接続される構成の電子機器において、制御部は、非接触充電部から携帯端末の充電状態の変化を取得すれば、充電状態の変化を取得した携帯端末と無線通信部に無線通信に関する指示を行う構成としたので、使い勝手や操作性を良くすることができる。
【００１０】
すなわち、携帯端末を非接触充電部に接近させる、つまり充電状態を変化させるだけで、携帯端末との無線通信の操作をすることが可能となり、使い勝手や操作性を良くすることができる。
【００１１】
具体的には、複数の携帯端末の中から１つを選んで電子機器と無線通信接続をする際、電子機器の画面上のリストから携帯端末を選ぶ、場合によっては認証キーを入力するという作業を行う必要があった。
【００１２】
しかしながら、本発明は、制御部は、無線通信部および充電状態の変化を取得した携帯端末へ、無線通信接続の指示をする。そして、制御部は、充電状態の変化を取得した携帯端末へ非接触充電部を介して無線通信接続の指示をする構成とした。さらに、無線通信接続の指示に認証キーを含む構成とすることも可能である。このようにすることで、非接触充電部に無線通信接続をする携帯端末を近づける、または置くだけ複数の携帯端末の中から１つの携帯端末を自動的に選択し、無線通信接続を開始することが可能となり、使い勝手や操作性を良くすることができる。
【図面の簡単な説明】
【００１３】
【図１】本発明の実施の形態にかかる自動車の車内を模式的に示した図
【図２】本発明の実施の形態にかかる電子機器および非接触充電部のシステム構成を示す図
【図３】本発明の実施の形態における電子機器の構成を示すブロック図
【図４】同構成の処理フローを説明するフローチャート
【発明を実施するための形態】
【００１４】
（実施の形態）
以下、本発明の実施の形態における電子機器について図面を参照しながら説明する。
【００１５】
図１は、本実施の形態を説明するための自動車のコクピットを、図２は電子機器および非接触充電部のシステム構成を、図３は電子機器の構成を示す。
【００１６】
図１において、ステアリング２の左側にある電子機器１は、操作パネル部３を前面に設けた本体ケース４の内部にあり、本体ケース４は自動車のコンソール部５に対して固定設置されている。また、非接触充電部６がコンソール部５における運転席と助手席の間の位置に設置されている。
【００１７】
図２は、電子機器１および非接触充電部６の具体的な構成を示すものであって、電子機器１は、本体ケース４と、この本体ケース４の表面側に設けたディスプレイ７と、このディスプレイ７の下方にボタン類で構成される操作部８とを有する。また、ディスプレイ７の上方には、ディスク挿入口９を有する。なお、ディスプレイ７は、液晶パネルを用いることが好ましい。
【００１８】
非接触充電部６は、電子機器１と接続され、所定の位置において携帯端末１０を充電することができる。図２では、携帯端末１０を２個同時に充電可能な構成を示しているが、充電位置が１つのものでもよく、また、電子機器１に非接触充電部６を組み込む構成としてもよい。
【００１９】
図３は、電子機器１の構成を示すブロック図である。
【００２０】
電子機器１は、Ｂｌｕｅｔｏｏｔｈ（登録商標）に代表される近距離無線などにより、携帯端末１０と無線通信をする無線通信部１２と、携帯端末１０を非接触で充電可能な非接触充電部６が接続された制御部１１を有する。
【００２１】
また、制御部１１は、携帯端末１０から無線通信部１２を介して取得したオーディオデ
ータをオーディオ部１３へ出力し、このオーディオ部１３は、オーディオデータを信号処理したオーディオ信号を、スピーカ１４へ出力する。また、オーディオデータは、制御部１１に接続されたＤＶＤやＣＤなどの記憶部（説明の簡略化のため図示しない）に保持された楽曲データを含む。さらに、図２で説明したディスプレイ７、およびボタン等で構成される操作部８も接続されている。
【００２２】
なお、ハンズフリー機能は、操作部８に含まれるマイク（図示しない）、オーディオ部１３、スピーカ１４、およびディスプレイ７を用いて制御部１１により実行する。
【００２３】
非接触充電部６は、携帯端末１０へ電磁的な結合により電力を非接触で伝送する送電コイル１６と、この送電コイル１６を制御するコイル制御部１７を有する。そして、このコイル制御部１７は、携帯端末１０の充電状態の変化を制御部１１へ送信する。なお、コイル制御部１７は、充電状態の変化を送電コイル１６のインダクタンスの変化を検出することにより可能である。
【００２４】
また、携帯端末１０には、非接触充電部６の送電コイル１６から伝送された電力を受電する受電コイル１８と、この受電コイル１８を制御する端末制御部１９を有する。コイル制御部１７と同様に、端末制御部１９も受電コイル１８のインダクタンスの変化により充電状態の変化を検出することが可能である。
【００２５】
さらに、コイル制御部１７は、携帯端末１０の給電に用いる電源信号に通信データを重畳し、送電コイル１６を介して制御部１１と携帯端末１０との間でデータ通信をする構成を有する。コイル制御部１７は、充電状態の変化の通知などをこのデータ通信を利用して、制御部１１へ送る構成とすることもできる。
【００２６】
例えば、携帯端末１０と無線通信部１２との無線通信接続には、認証キーを必要とする場合がある。この認証キーの転送に非接触充電部６の送電コイル１６を介したデータ通信を使用する。
【００２７】
また、携帯端末１０は、受電コイル１８からの電力を充電する二次電池（図示省略）を有し、端末制御部１９には、電子機器１との近距離無線通信を制御する端末無線通信部２０が接続されている。なお、複数の携帯端末１０が同時に電子機器１と無線通信する場合もある。
【００２８】
以上の構成において、図４のフローチャートを用いて、携帯端末１０と無線通信部１２との処理手順について説明する。
【００２９】
まず、電子機器１の電源を入れると、非接触充電部６は、携帯端末１０の充電状態の変化を検知する待機状態となる。ステップＳ１により、コイル制御部１７が携帯端末１０の充電状態の変化を検知すれば、携帯端末１０の充電を開始し（ステップＳ２）、充電状態の変化を制御部１１へ送る（ステップＳ３）。
【００３０】
次に、制御部１１は、無線通信部１２および携帯端末１０へ無線通信接続の指示をする（ステップＳ４）。このとき、携帯端末１０への認証キーの転送は、非接触充電部６の送電コイル１６を介したデータ通信を使用する。なお、今回、非接触充電部６に近づけた携帯端末１０が既に電子機器１に登録されていれば、認証キーは必要なく、携帯端末１０および無線通信部１２の双方からの接続要求により、無線通信接続を開始することも可能である。
【００３１】
次に、制御部１１は、無線通信部１２へ今回接続を開始した携帯端末１０とは別の携帯
端末１０との通信状況を確認する（ステップＳ５）。この時、制御部１１は、別の携帯端末１０が保持するオーディオデータをオーディオ部１３へ出力していることを無線通信部１２から取得すれば、今回接続を開始した携帯端末１０が保持するオーディオデータをオーディオ部１３へ出力する（ステップＳ６）。なお、ステップＳ５を、制御部１１は、携帯端末１０以外の記憶部に保持されたオーディオデータのオーディオ部１３への出力状態を確認するとしてもよい。
【００３２】
こうすれば、再生を開始したいオーディオデータを保持する携帯端末１０を非接触充電部６へ近づけるだけで、オーディオデータの再生を開始するなど、制御部１１のオーディオデータのオーディオ部１３への出力状態に合わせて携帯端末１０と無線通信部１２に指示する内容を決定し、非常に使い勝手がよい。
【００３３】
つまり、制御部１１は、充電状態の変化を取得した携帯端末１０とは別の携帯端末１０との無線通信接続の状態を無線通信部１２より取得し（ステップＳ５）、この無線通信接続の状態により、充電状態の変化を取得した携帯端末１０との無線通信に関する指示を決定する構成とする（ステップＳ６）。
【００３４】
このように、充電状態の変化を取得した携帯端末１０とは別の携帯端末１０の無線通信による通信内容を引き継いだり、あるいは別の携帯端末１０の通信内容を継続することも可能である。例えば、別の携帯端末１０がハンズフリー機能を実行中であれば、充電状態の変化を取得した携帯端末１０とはハンズフリー機能を実行せず、別の携帯端末１０とハンズフリー機能を継続することもできる。
【００３５】
以上のように、携帯端末１０を非接触充電部６に近づけるだけで、別の携帯端末１０の通信状況も考慮した操作をすることが可能となり、非常に使い勝手が良い。
【００３６】
図４のフローの説明を続ける。非接触充電部６は、携帯端末１０の充電状態の変化を検知する待機状態を継続している。そして、非接触充電部６は、携帯端末１０の充電が解除されたことを検知すれば（ステップＳ７）、充電解除の通知を制御部１１へ送る（ステップＳ８）。次に、制御部１１は、充電解除の通知を取得した携帯端末１０との無線通信を切断する（ステップＳ９）。なお、この時、充電解除の通知を取得した携帯端末１０と無線通信部１２がハンズフリー機能を実行していれば、これを継続するようにしてもよい。
【００３７】
以上のように、従来の技術では、非接触充電部６による携帯端末１０の充電制御と無線通信部１２による携帯端末１０との無線通信の制御が別々になされており、使い勝手が良くなかった。
【００３８】
しかしながら、本実施の形態によれば、携帯端末１０を非接触充電部６に接近させる、つまり充電状態を変化させるだけで、携帯端末１０との無線通信の操作をすることが可能となり、使い勝手や操作性を良くすることができる。
【００３９】
具体的には、複数の携帯端末１０の中から１つを選んで電子機器１と無線通信接続をする際、電子機器１の画面上のリストから携帯端末１０を選ぶ、場合によっては認証キーを入力するという作業を行う必要があった。しかしながら、制御部１１は、非接触充電部６から携帯端末１０の充電状態の変化を取得すれば、充電状態の変化を取得した携帯端末１０と無線通信部１２に無線通信に関する指示を行う構成とした。
【００４０】
さらに、制御部１１は、無線通信部１２および充電状態の変化を取得した携帯端末１０へ、無線通信接続の指示をするものであり、制御部１１は、充電状態の変化を取得した携帯端末１０へ非接触充電部６を介して認証キーを含む無線通信接続の指示をする構成とし
たので、非接触充電部６に無線通信接続をする携帯端末１０を近づける、または置くだけで複数の携帯端末の中から１つの携帯端末を自動的に選択し、無線通信接続を開始することが可能となり、使い勝手や操作性を良くすることができる。
【００４１】
上記で説明した本発明の実施形態において、構成や処理動作は例示であり、上記に示された事項に限定されず本発明の意図と請求範囲を逸脱することなく実施形態を変更することができる。
【産業上の利用可能性】
【００４２】
本発明は、本体ケースと、この本体ケース内に設けた制御部と、この制御部に携帯端末との無線通信を制御する無線通信部、および携帯端末を充電する非接触充電部が接続される構成の電子機器において、制御部は、非接触充電部から携帯端末の充電状態の変化を取得すれば、充電状態の変化を取得した携帯端末と無線通信部に無線通信に関する指示を行う構成としたので、使い勝手や操作性を良くすることができる。
【００４３】
したがって、車載用として広く活用が期待されるものとなる。
【符号の説明】
【００４４】
１  電子機器
２  ステアリング
３  操作パネル部
４  本体ケース
５  コンソール部
６  非接触充電部
７  ディスプレイ
８  操作部
９  ディスク挿入口
１０  携帯端末
１１  制御部
１２  無線通信部
１３  オーディオ部
１４  スピーカ
１６  送電コイル
１７  コイル制御部
１８  受電コイル
１９  端末制御部
２０  端末無線通信部
【図１】
2012165089.tif 000003
【図２】
2012165089.tif 000004
【図３】
2012165089.tif 000005
【図４】
2012165089.tif 000006